Podtech/llm-jp-corpus-v4-ja_patent huggingface dataset:
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
第１の光電変換部を有する第１の画素と、
第２の光電変換部を有する第２の画素と、
第１の期間では、前記第１の画素のリセット解除に基づく第１の信号と前記第２の画素のリセット解除に基づく第２の信号を出力し、第２の期間では、前記第１の画素の光電変換に基づく第３の信号と前記第２の画素のリセット解除に基づく第４の信号を出力するように制御する制御手段と、
前記第３の信号と前記第１の信号との差分から、前記第４の信号と前記第２の信号との差分を減算することによって、前記第３の信号と前記第１の信号との差分を補正する補正手段と
を有することを特徴とする撮像装置。
【請求項２】
前記第１の画素は、
光を電荷に変換する前記第１の光電変換部と、
第１の蓄積部と、
前記第１の光電変換部により変換された電荷を前記第１の蓄積部に転送する第１の転送スイッチとを有し、
前記第１の画素は、前記第１の蓄積部の電荷量に応じた信号を出力し、
前記第２の画素は、
光を電荷に変換する前記第２の光電変換部と、
第２の蓄積部と、
前記第２の光電変換部により変換された電荷を前記第２の蓄積部に転送する第２の転送スイッチとを有し、
前記第２の画素は、前記第２の蓄積部の電荷量に応じた信号を出力することを特徴とする請求項１に記載の撮像装置。
【請求項３】
前記制御手段は、
前記第１の期間では、前記第１の画素の前記第１の転送スイッチのオフ状態で前記第１の蓄積部のリセット解除に基づく第１の信号を出力し、前記第２の画素の前記第２の転送スイッチのオフ状態で前記第２の蓄積部のリセット解除に基づく第２の信号を出力し、
前記第２の期間では、前記第１の画素の前記第１の転送スイッチのオン状態で前記第１の光電変換部の光電変換に基づく第３の信号を出力し、前記第２の画素の前記第２の転送スイッチのオフ状態で前記第２の蓄積部のリセット解除に基づく第４の信号を出力するように制御することを特徴とする請求項２に記載の撮像装置。
【請求項４】
第１の出力線と、
第２の出力線とをさらに有し、
前記第１の期間では、前記第１の画素は、前記第１の信号を前記第１の出力線に出力し、前記第２の画素は、前記第２の信号を前記第２の出力線に出力し、
前記第２の期間では、前記第１の画素は、前記第３の信号を前記第１の出力線に出力し、前記第２の画素は、前記第４の信号を前記第２の出力線に出力することを特徴とする請求項１〜３のいずれか１項に記載の撮像装置。
【請求項５】
前記第１の光電変換部を含む前記第１の画素の行と、
前記第２の光電変換部を含む前記第２の画素の行とを有し、
前記補正手段は、列ごとに補正することを特徴とする請求項１〜４のいずれか１項に記載の撮像装置。
【請求項６】
前記第１の画素の２行と前記第２の画素の２行とが交互に配置されていることを特徴とする請求項５に記載の撮像装置。
【請求項７】
ノイズ源が動作するフレームでは、
前記制御手段は、前記第１の期間では、前記第１の画素のリセット解除に基づく第１の信号と前記第２の画素のリセット解除に基づく第２の信号を出力し、前記第２の期間では、前記第１の画素の光電変換に基づく第３の信号と前記第２の画素のリセット解除に基づく第４の信号を出力するように制御し、
ノイズ源が動作しないフレームでは、
前記制御手段は、前記第１の期間では、前記第１の画素のリセット解除に基づく第１の信号を出力し、前記第２の期間では、前記第１の画素の光電変換に基づく第３の信号を出力するように制御することを特徴とする請求項１〜６のいずれか１項に記載の撮像装置。
【請求項８】
ノイズ源が動作するフレームでは、
前記制御手段は、前記第１の期間では、前記第１の画素のリセット解除に基づく第１の信号を前記第１の出力線に出力し、前記第２の画素のリセット解除に基づく第２の信号を前記第２の出力線に出力し、前記第２の期間では、前記第１の画素の光電変換に基づく第３の信号を前記第１の出力線に出力し、前記第２の画素のリセット解除に基づく第４の信号を前記第２の出力線に出力するように制御し、
ノイズ源が動作しないフレームでは、
前記制御手段は、前記第１の期間では、前記第１の画素のリセット解除に基づく第１の信号を前記第１の出力線に出力し、前記第２の期間では、前記第１の画素の光電変換に基づく第３の信号を前記第１の出力線に出力するように制御することを特徴とする請求項４に記載の撮像装置。
【請求項９】
前記第１の出力線に接続される第１の電流源と、
前記第２の出力線に接続される第２の電流源とをさらに有し、
前記ノイズ源が動作するフレームでは、前記第１の電流源と前記第２の電流源がオン状態になり、
前記ノイズ源が動作しないフレームでは、前記第１の電流源がオン状態になり、前記第２の電流源がオフ状態になることを特徴とする請求項８に記載の撮像装置。
【請求項１０】
前記ノイズ源が動作するフレームは、レンズが駆動するフレームであり、
前記ノイズ源が動作しないフレームは、レンズが駆動しないフレームであることを特徴とする請求項７〜９のいずれか１項に記載の撮像装置。
【請求項１１】
第１の光電変換部を有する第１の画素と、
第２の光電変換部を有する第２の画素とを有する撮像装置の制御方法であって、
第１の期間では、前記第１の画素のリセット解除に基づく第１の信号と前記第２の画素のリセット解除に基づく第２の信号を出力するように制御するステップと、
第２の期間では、前記第１の画素の光電変換に基づく第３の信号と前記第２の画素のリセット解除に基づく第４の信号を出力するように制御するステップと、
前記第３の信号と前記第１の信号との差分から、前記第４の信号と前記第２の信号との差分を減算することによって、前記第３の信号と前記第１の信号との差分を補正するステップと
を有することを特徴とする撮像装置の制御方法。
【手続補正２】
【補正対象書類名】明細書
【補正対象項目名】０００８
【補正方法】変更
【補正の内容】
【０００８】
本発明に係る撮像装置は、第１の光電変換部を有する第１の画素と、第２の光電変換部を有する第２の画素と、第１の期間では、前記第１の画素のリセット解除に基づく第１の信号と前記第２の画素のリセット解除に基づく第２の信号を出力し、第２の期間では、前記第１の画素の光電変換に基づく第３の信号と前記第２の画素のリセット解除に基づく第４の信号を出力するように制御する制御手段と、前記第３の信号と前記第１の信号との差分から、前記第４の信号と前記第２の信号との差分を減算することによって、前記第３の信号と前記第１の信号との差分を補正する補正手段とを有する。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
タイルインデックスを導出する導出部と、
４分木、２分木、３分木のマルチツリー分割を行うＣＴ分割部と、
対象ブロックの時間マージ候補の導出において、時間動きベクトルを導出する時間動き予測部と、
を備え、
前記時間動き予測部は、
前記対象ブロックの右下に位置する右下参照ブロックのピクチャ内座標yColBrInPicと、下側座標yVirCtbBとを比較して、前記右下参照ブロックの参照可能性を判定し、
前記タイルインデックスで指定される対象タイルのピクチャ内座標と所定のＣＴＵサイズとを用いて、前記下側座標yVirCtbBを導出し
対象ブロックのＹ座標と対象ブロックの高さの和から前記ピクチャ内座標yColBrInPicを導出し、前記右下参照ブロックの動きベクトルを利用して前記時間動きベクトルを導出することを特徴とする、動画像復号装置。
【請求項２】
前記時間動き予測部は、
前記右下参照ブロックのピクチャ内座標yColBrInPicが前記下側座標yVirCtbBより上側にあるか否かを判定し、
判定結果が真の場合、時間マージ候補として、前記右下参照ブロックの動きベクトルを導出し、
判定結果が偽の場合、時間マージ候補として、中心参照ブロックの動きベクトルを導出することを特徴とする、請求項１に記載の動画像復号装置。
【請求項３】
前記対象ブロックのピクチャ内左上座標を所定の単位VBSizeの座標に変換し、上側座標yVirCtbTを導出し、
前記上側座標yVirCtbTに対し、前記ＣＴＵサイズを加算して前記下側座標yVirCtbBを導出することを特徴とする、請求項１に記載の動画像復号装置。
【請求項４】
前記時間動き予測部は、前記下側座標yVirCtbBの導出において、前記下側座標yVirCtbBを前記所定の単位VBSizeの整数倍とするために、前記所定の単位VBSizeの対数値であるVBLog2Sizeによる右シフトと左シフトを行うことを特徴とする、請求項３に記載の動画像復号装置。
【請求項５】
タイル単位サイズの整数倍のタイルサイズを復号するヘッダ情報復号部と、
タイル内座標を用いてＣＴＵ境界の判定を行うイントラ予測部と、
をさらに備え、
前記ＣＴ分割部は、タイル内座標とタイルサイズを用いて４分木、２分木、３分木のマルチツリー分割を行うことを特徴とする、請求項１に記載の動画像復号装置。
【請求項６】
タイル単位サイズの整数倍のタイルサイズを復号するヘッダ情報復号部と、
ピクチャ内座標からタイル内座標に変換してＣＴＵ境界の判定を行うイントラ予測部と、
をさらに備え、
前記ＣＴ分割部は、ピクチャ内座標とタイル左上座標とタイルサイズを用いて４分木、２分木、３分木のマルチツリー分割を行うことを特徴とする、請求項１に記載の動画像復号装置。
【請求項７】
タイルインデックスを導出する導出部と、
４分木、２分木、３分木のマルチツリー分割を行うＣＴ分割部と、
対象ブロックの時間マージ候補の導出において、時間動きベクトルを導出する時間動き予測部と、
を備え、
前記時間動き予測部は、
前記対象ブロックの右下に位置する右下参照ブロックのピクチャ内座標yColBrInPicと、下側座標yVirCtbBとを比較して、前記右下参照ブロックの参照可能性を判定し、
前記タイルインデックスで指定される対象タイルのピクチャ内座標と所定のＣＴＵサイズとを用いて、前記下側座標yVirCtbBを導出し
対象ブロックのＹ座標と対象ブロックの高さの和から前記ピクチャ内座標yColBrInPicを導出し、前記右下参照ブロックの動きベクトルを利用して前記時間動きベクトルを導出することを特徴とする、動画像符号化装置。
【手続補正書】
【提出日】令和3年6月8日(2021.6.8)
【手続補正１】
【補正対象書類名】明細書
【補正対象項目名】０００１
【補正方法】変更
【補正の内容】
【０００１】
本発明は、遊技機に関する。
【手続補正２】
【補正対象書類名】明細書
【補正対象項目名】０００４
【補正方法】変更
【補正の内容】
【０００４】
しかしながら、従来の遊技機において、遊技機の管理性やメンテナンス性には向上の余地があった。
【手続補正３】
【補正対象書類名】明細書
【補正対象項目名】０００６
【補正方法】変更
【補正の内容】
【０００６】
本発明の代表的な一形態では、変動表示ゲームを実行可能な遊技機において、遊技に関する制御を行う制御手段と、遊技条件に関する設定値を設定可能な設定手段と、を備え、前記制御手段は、所定の移行条件を満たしている場合に前記設定値が設定可能な状態に移行可能であるとともに、前記設定値が設定可能な状態に移行したことに対応してセキュリティに関するセキュリティ信号を外部に出力することが可能であり、所定の表示手段に、前記設定値に関する情報又は所定の条件を満たす遊技媒体によって得られた遊技媒体数の割合に関連する情報を表示可能であることを特徴とする。
【手続補正４】
【補正対象書類名】特許請求の範囲
【補正対象項目名】全文
【補正方法】変更
【補正の内容】
【特許請求の範囲】
【請求項１】
変動表示ゲームを実行可能な遊技機において、
遊技に関する制御を行う制御手段と、
遊技条件に関する設定値を設定可能な設定手段と、を備え、
前記制御手段は、
所定の移行条件を満たしている場合に前記設定値が設定可能な状態に移行可能であるとともに、前記設定値が設定可能な状態に移行したことに対応してセキュリティに関するセキュリティ信号を外部に出力することが可能であり、
所定の表示手段に、前記設定値に関する情報又は所定の条件を満たす遊技媒体によって得られた遊技媒体数の割合に関連する情報を表示可能であることを特徴とする遊技機。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
大当たり確率が互いに異なる複数の候補設定のうちのいずれかが現状設定として設定されるぱちんこ遊技機であって、
遊技が行われることによって成立しうる所定条件成立時に、現状設定を示唆する設定示唆演出が実行されることを特徴とするぱちんこ遊技機。
【請求項２】
当否判定結果が当たりである場合には成功結末に、当否判定結果がはずれである場合には失敗結末に至る特定リーチ演出を実行することが可能であり、
前記特定リーチ演出が失敗結末に至ることで、前記複数の候補設定のうち、遊技者に最も有利な設定から数えた一または複数の設定のうちのいずれかが現状設定であることが確定する前記設定示唆演出が発生しうることを特徴とする請求項１に記載のぱちんこ遊技機。
【請求項３】
遊技球が進入することが、当否判定の契機にはならないものの、所定数の遊技球が払い出される契機となる一般入賞領域を備え、
前記一般入賞領域に遊技球が進入することを契機として前記設定示唆演出が発生しうることを特徴とする請求項１に記載のぱちんこ遊技機。
【請求項４】
当否判定に用いられる当否判定情報のうち、未だ対応する当否判定結果を報知する報知演出が開始されていないものを保留情報として所定数を限度に記憶する記憶手段と、
遊技球が進入することが、前記当否判定情報の取得の契機となる始動領域と、
を備え、
前記記憶手段に記憶されている前記保留情報の数が前記所定数であるときに、前記遊技球が前記始動領域に進入することを契機として前記設定示唆演出が発生しうることを特徴とする請求項１に記載のぱちんこ遊技機。
【請求項５】
当否判定結果が当たりとなったときに当たり遊技を実行する当たり遊技実行手段を備え、
前記当たり遊技は、遊技球が進入可能な特典領域を所定条件が成立するまで開放する単位遊技を一または複数回繰り返すものであり、
前記所定条件の少なくとも一つとして、前記特典領域にＮ個の遊技球が入賞することが設定されており、
前記単位遊技において前記特典領域にＮ個を超える遊技球が入賞することを契機として前記設定示唆演出が発生しうることを特徴とする請求項１に記載のぱちんこ遊技機。
【請求項６】
遊技者が操作可能な操作手段と、
遊技者に対し、前記操作手段の操作を促す操作演出を実行する操作演出実行手段と、を備え、
前記操作演出における前記操作手段の操作が所定条件を満たしたものとなった場合には発生しうるものの、前記操作手段の操作が所定条件を満たすものとならなかった場合には発生しない前記設定示唆演出が設定されていることを特徴とする請求項１に記載のぱちんこ遊技機。
【請求項７】
当否判定結果が大当たりとなることが確定する確定演出が発生したときに前記設定示唆演出が発生しうることを特徴とする請求項１に記載のぱちんこ遊技機。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
遊技球を発射する際に遊技者が操作する発射ハンドルと、
待機状態から遊技者が遊技を開始しようとする際、遊技開始条件が成立することを契機として開始演出を実行する開始演出実行手段と、
を備え、
前記遊技開始条件は、前記発射ハンドルに設けられたタッチセンサに遊技者が触れていること、および、前記発射ハンドルが原位置から変位したことの両方が検出されなければ成立しない条件であることを特徴とする遊技機。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
ローリングシャッタ方式によって、観察対象を撮像し医療用撮像画像を生成するイメージセンサと、
前記観察対象に光を照射する光源の点灯を制御する制御部と、
を備え、
前記制御部は、白色光を照射する光源を点灯させる制御を含む第１の制御と、励起光を照射する光源を点灯させる制御を含む第２の制御とを行い、
前記第１の制御は、１フレーム期間より短い期間行われ、
前記第２の制御は、前記第１の制御が行われる期間よりも長い期間行われる、医療用観察装置。
【請求項２】
前記制御部は、
前記第１の制御を繰り返し行い、
前記第２の制御を、少なくとも前記第１の制御が行われていない期間に行う、請求項１に記載の医療用観察装置。
【請求項３】
前記制御部は、前記第２の制御を、前記第１の制御が行われている期間、および前記第１の制御が行われていない期間に行う、請求項２に記載の医療用観察装置。
【請求項４】
前記制御部は、前記第２の制御を前記第１の制御が行われていない期間に行い、前記第１の制御が行われている期間には、前記第２の制御を行わない、請求項２に記載の医療用観察装置。
【請求項５】
前記制御部は、前記第１の制御を、設定されている所定のタイミングに行う、請求項２〜４のいずれか１つに記載の医療用観察装置。
【請求項６】
前記所定のタイミングは、前記イメージセンサにおける読み出されているフレームの最終ラインの読み出し終了と同時に前記白色光を照射する光源の点灯が終了するタイミングである、請求項５に記載の医療用観察装置。
【請求項７】
前記所定のタイミングは、次に読み出すフレームの先頭ラインの読み出し開始と同時に前記白色光を照射する光源の点灯が開始するタイミングである、請求項５に記載の医療用観察装置。
【請求項８】
前記所定のタイミングは、前記白色光を照射する光源の点灯が、前記イメージセンサにおける読み出されているフレームの最終ラインの読み出し終了と次に読み出すフレームの先頭ライン読み出し開始を跨ぐタイミングである、請求項５に記載の医療用観察装置。
【請求項９】
前記制御部は、前記第１の制御を、２フレーム期間ごとに行う、請求項２〜８のいずれか１つに記載の医療用観察装置。
【請求項１０】
前記制御部は、さらに、前記白色光を照射する光源および前記励起光を照射する光源を点灯させない第３の制御を行う、請求項１または２に記載の医療用観察装置。
【請求項１１】
前記医療用撮像画像を処理する処理部をさらに備える、請求項１〜１０のいずれか１つに記載の医療用観察装置。
【請求項１２】
前記処理部は、少なくとも前記第１の制御が行われているときと、前記第２の制御のみが行われているときとで、前記医療用撮像画像を示す信号のゲインを変える、請求項１１に記載の医療用観察装置。
【請求項１３】
前記処理部は、少なくとも前記第１の制御が行われているときと、前記第２の制御のみが行われているときとで、処理の内容を変える、請求項１１または１２に記載の医療用観察装置。
【請求項１４】
前記処理部は、少なくとも前記白色光が前記観察対象に照射されるときに撮像された第１の医療用撮像画像と、前記励起光のみが前記観察対象に照射されるときに撮像された第２の医療用撮像画像とを、合成する、請求項１１〜１３のいずれか１つに記載の医療用観察装置。
【請求項１５】
前記イメージセンサへの入射光から、前記励起光に対応する波長の光を遮断するフィルタをさらに有する、請求項１〜１４のいずれか１つに記載の医療用観察装置。
【請求項１６】
前記白色光を照射する光源と前記励起光を照射する光源とを有する光源部を、さらに備える、請求項１〜１５のいずれか１つに記載の医療用観察装置。
【請求項１７】
前記光源部は、前記白色光を照射する光源から照射される前記白色光が入射され、前記励起光に基づく蛍光に対応する波長の光を遮断するフィルタをさらに有する、請求項１６に記載の医療用観察装置。
【請求項１８】
複数のリンクが関節部によって互いに連結されて構成されるアームをさらに備え、
前記イメージセンサは、前記アームにより支持される、請求項１〜１７のいずれか１つに記載の医療用観察装置。
【請求項１９】
前記イメージセンサは、患者の体内に挿入され、前記体内を前記観察対象として撮像する、請求項１〜１７のいずれか１つに記載の医療用観察装置。
【請求項２０】
観察対象を撮像し、生成された医療用撮像画像を処理する医療用観察装置と、
処理された前記医療用撮像画像を表示画面に表示する表示装置と、
を有し、
前記医療用観察装置は、
ローリングシャッタ方式によって、前記観察対象を撮像し前記医療用撮像画像を撮像するイメージセンサと、
前記観察対象に光を照射する光源の点灯を制御する制御部と、
前記医療用撮像画像を処理する処理部と、
を備え、
前記制御部は、白色光を照射する光源を点灯させる制御を含む第１の制御と、励起光を照射する光源を点灯させる制御を含む第２の制御とを行い、
前記第１の制御は、１フレーム期間より短い期間行われ、
前記第２の制御は、前記第１の制御が行われる期間よりも長い期間行われる、医療用観察システム。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
設定値が登録設定値として記憶される記憶部と、
始動口への遊技球の入球に起因して、前記登録設定値に応じた確率で大当たりの当否判定を行う判定部と、
前記判定部により大当たりの当選の判定結果が導出された場合に、大入賞口を開閉制御して大役遊技を実行する大役遊技制御部と、
前記大役遊技の実行中に、前記登録設定値として所定の設定値が記憶されていることを示唆する示唆演出を実行し得る演出制御部と、
を備え、
前記大役遊技は、
前記大入賞口が開放される複数のラウンド遊技と、前記ラウンド遊技間において前記大入賞口が閉鎖されるインターバル期間とが設けられており、
前記演出制御部は、
前記インターバル期間において前記示唆演出を実行可能とする遊技機。
【請求項２】
設定値が登録設定値として記憶される記憶部と、
始動口への遊技球の入球に起因して、前記登録設定値に応じた確率で大当たりの当否判定を行う判定部と、
前記判定部により大当たりの当選の判定結果が導出された場合に、大入賞口を開閉制御して大役遊技を実行する大役遊技制御部と、
前記大役遊技の実行中に、前記登録設定値として所定の設定値が記憶されていることを示唆する示唆演出を実行し得る演出制御部と、
を備え、
前記大役遊技は、
前記大入賞口が開放される複数のラウンド遊技と、前記ラウンド遊技間において前記大入賞口が閉鎖されるインターバル期間とが設けられており、
前記演出制御部は、
前記ラウンド遊技において規定数を超えて遊技球が前記大入賞口に入球するオーバー入賞の報知を実行可能であり、
前記オーバー入賞の報知により前記示唆演出を実行可能とする遊技機。
【手続補正２】
【補正対象書類名】明細書
【補正対象項目名】０００１
【補正方法】変更
【補正の内容】
【０００１】
本発明は、登録設定値が記憶される記憶部が設けられた遊技機に関する。
【手続補正３】
【補正対象書類名】明細書
【補正対象項目名】０００６
【補正方法】変更
【補正の内容】
【０００６】
上記課題を解決するために、本発明の遊技機は、設定値が登録設定値として記憶される記憶部と、始動口への遊技球の入球に起因して、前記登録設定値に応じた確率で大当たりの当否判定を行う判定部と、前記判定部により大当たりの当選の判定結果が導出された場合に、大入賞口を開閉制御して大役遊技を実行する大役遊技制御部と、前記大役遊技の実行中に、前記登録設定値として所定の設定値が記憶されていることを示唆する示唆演出を実行し得る演出制御部と、を備え、前記大役遊技は、前記大入賞口が開放される複数のラウンド遊技と、前記ラウンド遊技間において前記大入賞口が閉鎖されるインターバル期間とが設けられており、前記演出制御部は、前記インターバル期間において前記示唆演出を実行可能とする。
【手続補正４】
【補正対象書類名】明細書
【補正対象項目名】０００７
【補正方法】変更
【補正の内容】
【０００７】
上記課題を解決するために、本発明の遊技機は、設定値が登録設定値として記憶される記憶部と、始動口への遊技球の入球に起因して、前記登録設定値に応じた確率で大当たりの当否判定を行う判定部と、前記判定部により大当たりの当選の判定結果が導出された場合に、大入賞口を開閉制御して大役遊技を実行する大役遊技制御部と、前記大役遊技の実行中に、前記登録設定値として所定の設定値が記憶されていることを示唆する示唆演出を実行し得る演出制御部と、を備え、前記大役遊技は、前記大入賞口が開放される複数のラウンド遊技と、前記ラウンド遊技間において前記大入賞口が閉鎖されるインターバル期間とが設けられており、前記演出制御部は、前記ラウンド遊技において規定数を超えて遊技球が前記大入賞口に入球するオーバー入賞の報知を実行可能であり、前記オーバー入賞の報知により前記示唆演出を実行可能とする。
【手続補正書】
【提出日】令和3年9月14日(2021.9.14)
【手続補正１】
【補正対象書類名】明細書
【補正対象項目名】０００５
【補正方法】削除
【補正の内容】
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、遊技機において、表示部（性能表示装置）の表示を安定させることを目的とする。
【手続補正４】
【補正対象書類名】明細書
【補正対象項目名】０００８
【補正方法】変更
【補正の内容】
【０００８】
本発明の代表的な一形態では、ゲームを実行可能な遊技制御手段を備え、前記ゲームの結果が特別結果となる場合に、遊技者にとって有利な特別遊技状態を発生可能な遊技機において、発光部材を発光させることによって当該遊技機の性能に関する情報を表示可能な表示手段を備え、前記遊技制御手段は、前記表示手段に表示する前記情報の表示データを所定周期毎に再設定する。
【手続補正５】
【補正対象書類名】明細書
【補正対象項目名】０００９
【補正方法】変更
【補正の内容】
【０００９】
本発明の一形態によれば、表示部（性能表示装置）の表示を安定させることができる。
【手続補正６】
【補正対象書類名】特許請求の範囲
【補正対象項目名】全文
【補正方法】変更
【補正の内容】
【特許請求の範囲】
【請求項１】
ゲームを実行可能な遊技制御手段を備え、前記ゲームの結果が特別結果となる場合に、遊技者にとって有利な特別遊技状態を発生可能な遊技機において、
発光部材を発光させることによって当該遊技機の性能に関する情報を表示可能な表示手段を備え、
前記遊技制御手段は、
前記表示手段に表示する前記情報の表示データを所定周期毎に再設定することを特徴とする遊技機。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
香気性化合物を含む試料を、所定の物質の超臨界流体である移動相の流れに乗せて、不飽和炭化水素構造を有するポリマーからなる充填剤が装填されたカラムに導入する工程を含む、香気性化合物の分離方法。
【請求項２】
前記移動相が、超臨界状態の二酸化炭素、又は超臨界状態の二酸化炭素にモディファイアを添加したものである、請求項１に記載の香気性化合物の分離方法。
【請求項３】
前記充填剤はポリマービーズであって、
前記ポリマービーズは、テトラヒドロフランを吸収したときの膨潤度、およびメタノールを吸収したときの膨潤度が、いずれも1.4以下であり、
前記ポリマービーズが架橋ポリマーを含む、請求項１又は２に記載の香気性化合物の分離方法。
【請求項４】
前記架橋ポリマーが、ジビニルベンゼン由来の構造単位、およびジ（メタ）アクリル酸エステル由来の構造単位からなる群から選択される１種以上を有する、請求項３に記載の香気性化合物の分離方法。
【請求項５】
前記架橋ポリマーの架橋度が、50%以上である、請求項３又は４に記載の香気性化合物の分離方法。
【請求項６】
前記ポリマービーズの平均粒子径が、1〜10μmである、請求項１から４のいずれかに記載の香気性化合物の分離方法。
【請求項７】
請求項１から６のいずれかに記載の方法により成分ごとに分離された香気性化合物を、クロマトグラフィおよび／または質量分析により分析する、香気性化合物の分析方法。
【請求項８】
所定の測定手法により取得された、複数の香気性化合物の測定データを収録した香気性化合物データベースと、
不飽和炭化水素構造を有するポリマーからなる充填剤が装填されたカラムと、
所定の物質の超臨界流体を前記カラムに送給する超臨界流体送給部と、
前記超臨界流体送給部から前記カラムに至る流路に設けられ、前記超臨界流体に試料を注入する試料注入部と、
前記カラムからの流出物を、順次、前記所定の測定手法で測定する測定部と、
前記測定により得られた測定データを、前記香気性化合物データベースに収録された測定データと照合することにより、前記流出物に含まれる香気性化合物を同定する香気性化合物同定部と
を備える超臨界流体クロマトグラフ。
【手続補正２】
【補正対象書類名】明細書
【補正対象項目名】００１０
【補正方法】変更
【補正の内容】
【００１０】
また、上記課題を解決するために成された本発明に係る超臨界流体クロマトグラフは、
所定の測定手法により取得された、複数の香気性化合物の測定データを収録した香気性化合物データベースと、
不飽和炭化水素構造を有するポリマーからなる充填剤が装填されたカラムと、
所定の物質の超臨界流体を前記カラムに送給する超臨界流体送給部と、
前記超臨界流体送給部から前記カラムに至る流路に設けられ、前記超臨界流体に試料を注入する試料注入部と、
前記カラムからの流出物を、順次、前記所定の測定手法で測定する測定部と、
前記測定により得られた測定データを、前記香気性化合物データベースに収録された測定データと照合することにより、前記流出物に含まれる香気性化合物を同定する香気性化合物同定部と
を備える。
【手続補正３】
【補正対象書類名】明細書
【補正対象項目名】００８１
【補正方法】変更
【補正の内容】
【００８１】
（第８態様）
本発明の第８態様に係る超臨界流体クロマトグラフは、
所定の測定手法により取得された、複数の香気性化合物の測定データを収録した香気性化合物データベースと、
不飽和炭化水素構造を有するポリマーからなる充填剤が装填されたカラムと、
所定の物質の超臨界流体を前記カラムに送給する超臨界流体送給部と、
前記超臨界流体送給部から前記カラムに至る流路に設けられ、前記超臨界流体に試料を注入する試料注入部と、
前記カラムからの流出物を、順次、前記所定の測定手法で測定する測定部と、
前記測定により得られた測定データを、前記香気性化合物データベースに収録された測定データと照合することにより、前記流出物に含まれる香気性化合物を同定する香気性化合物同定部と
を備える。
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
枠体と、前記枠体内に引き違い可能に配置された内障子および外障子とを備えた建具であって、
前記枠体は、上枠、下枠および左右の縦枠によって構成され、
前記内障子は、上框、下框および戸先縦框および内召合せ框によって形成された框体の内方に面材を配置して構成され、
前記外障子は、上框、下框および戸先縦框および外合せ框によって形成された框体の内方に面材を配置して構成され、
少なくとも前記戸先縦框、前記内召合せ框および前記外召合せ框は、上端から下端まで貫通した中空部が形成された形材によって構成され、
前記戸先縦框、前記内召合せ框および前記外召合せ框の前記中空部の上端部および下端部には、前記建具の見込み方向において室内側熱膨張耐火材および室外側熱膨張耐火材が向かい合って配置され、
前記戸先縦框、前記内召合せ框および前記外召合せ框のうちの少なくとも一つには、前記中空部の上端部および下端部のみに前記室内側熱膨張耐火材および前記室外側熱膨張耐火材が配置されている
ことを特徴とする建具。
【請求項２】
請求項１に記載の建具において、
前記形材の上端部および下端部のうちの少なくとも一方には、可燃性部材が装着され、
前記室内側熱膨張耐火材および前記室外側熱膨張耐火材は、前記建具の見込み方向において前記可燃性部材を間に挟んで配置されている
ことを特徴とする建具。
【請求項３】
請求項１または請求項２に記載の建具において、
前記形材を補強する補強材が前記中空部に配置され、
前記室内側熱膨張耐火材および前記室外側熱膨張耐火材のうちの少なくとも一方は、前記補強材に取り付けられている
ことを特徴とする建具。
【請求項４】
請求項３に記載の建具において、
前記補強材は、前記室内側熱膨張耐火材および前記室外側熱膨張耐火材のうちの一方が取り付けられた補強見付け片部と、前記補強見付け片部の両側縁部に連続した一対の補強見込み片部とを有し、
前記形材は、前記室内側熱膨張耐火材および前記室外側熱膨張耐火材のうちの他方が取り付けられた見付け片部を有し、
前記補強材および前記見付け片部によって前記中空部が形成されている
ことを特徴とする建具。
【請求項５】
請求項４に記載の建具において、
前記一対の補強見込み片部のうちの一方には、クレセント錠がねじ止めされている
ことを特徴とする建具。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
吐水部材と、
前記吐水部材と組み合わされて組立体を構成する前記吐水部材のカバーと、
前記組立体が取り付けられ、前記吐水部材から吐水される水を受けて便器洗浄タンクに排水する手洗器と、を備え、
前記吐水部材は、下向きの吐水口を有する吐水部を有し、
前記カバーは、前記カバーの内側と、前記カバーの外側であって前記カバーの下方とを連通する開口部を有し、
前記カバーは、一体成形品であり、前記手洗器の後壁部に接触して取付けられた状態で前記吐水部材を覆う手洗装置。
【請求項２】
前記後壁部は、前記手洗器の前壁部よりも上側に延びるように形成され、
前記カバーは前記後壁部の上端部に設けられる請求項１に記載の手洗装置。
【請求項３】
前記吐水部は、下側に突出し、前記開口部に進入しており、
前記吐水部と前記カバーとの間には隙間が設けられ、
前記吐水部は前記カバーの下面よりも上側に位置する請求項１または２に記載の手洗装置。
【請求項４】
前記カバーは、後方から見たとき、上下方向よりも左右方向に長い請求項１から３のいずれかに記載の手洗装置。
【請求項５】
前記カバーの下部後方に切欠部を備える請求項１から４のいずれかに記載の手洗装置。
【請求項６】
前記吐水部材と前記カバーはそれぞれ、スナップフィット方式により互いに係合する係合部を有する請求項１から５のいずれかに記載の手洗装置。
【請求項７】
前記吐水部材は、上側に突出する突出部を有し、
前記カバーは、上向きに凹んだ凹部を有し、
前記凹部に前記突出部が嵌まっている請求項１から６のいずれかに記載の手洗装置。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
縦管と横管との接続部分に設けられて、
少なくとも、その上端部に縦管接続部を有すると共に、側面に横管接続部を有する上部継手部材と、
下端部に縦管接続部を有する下部継手部材と、
を備えて、
建物の床スラブに設けられた貫通穴に設置される排水管継手において、
前記上部継手部材と、前記下部継手部材とが、それぞれ樹脂製の射出成形品で構成され、
前記上部継手部材の縦管接続部は、前記上部継手部材の上端に接着固定され、内部にシール部材を備えた伸縮継手とされ、
前記下部継手部材の上端部に、前記上部継手部材の下端部を挿入状態で嵌合可能な外嵌部が設けられ、
前記下部継手部材の縦管接続部は差口部であることを特徴とする排水管継手。
【請求項２】
縦管と横管との接続部分に設けられて、
少なくとも、その上端部に縦管接続部を有すると共に、側面に横管接続部を有する上部継手部材と、
下端部に縦管接続部を有する下部継手部材と、
を備えて、
建物の床スラブに設けられた貫通穴に設置される排水管継手において、
前記上部継手部材と、前記下部継手部材とが、それぞれ樹脂製の射出成形品で構成され、
前記上部継手部材の縦管接続部は、前記上部継手部材の上端に接着固定され、内部にシール部材を備えた伸縮継手とされ、
前記上部継手部材の横管接続部は、差口部または受口部とされ、
前記下部継手部材の上端部に、前記上部継手部材の下端部を挿入状態で嵌合可能な外嵌部が設けられたことを特徴とする排水管継手。
【請求項３】
請求項１または請求項２に記載の排水管継手において、
前記上部継手部材の上端面から前記横管接続部の下端までの範囲における前記上部継手部材の外面には、樹脂の注入ゲートが設けられていることを特徴とする排水管継手。
【請求項４】
請求項１ないし請求項３のいずれか１項に記載の排水管継手において、
前記横管接続部には、内部にシール部材を有する伸縮継手が取り付けられていることを特徴とする排水管継手。
【請求項５】
請求項１ないし請求項４のいずれか１項に記載の排水管継手において、
前記上部継手部材の下端部と下部継手部材の上端部との間に互いに嵌合可能な嵌合部を有し、該嵌合部に周方向の位置決めが可能な位置決め部が設けられていることを特徴とする排水管継手。
【請求項６】
請求項１ないし請求項５のいずれか１項に記載の排水管継手において、
前記下部継手部材の外嵌部の上縁部は、前記床スラブの上面よりも上方に突設した状態で埋設されていることを特徴とする排水管継手。
【請求項７】
請求項１ないし請求項６のいずれか１項に記載の排水管継手において、
前記下部継手部材の内側に羽根部材が設置され、
前記上部継手部材または前記羽根部材は、衝撃性改良樹脂を混合又は共重合したポリ塩化ビニル系樹脂により形成されていることを特徴とする排水管継手。
【請求項８】
請求項１ないし請求項７のいずれか１項に記載の排水管継手において、
前記上部継手部材の内部には上下方向に延びる逆流防止リブが設けられ、
前記逆流防止リブは、前記上部継手部材の横管接続部の開口の上下方向幅よりも長く、かつ、前記上部継手部材の上下方向長さより短く、かつ、前記逆流防止リブの下端は前記上部継手部材の下端よりも上にあることを特徴とする排水管継手。
【請求項９】
請求項１ないし請求項８のいずれか１項に記載の排水管継手において、
前記上部継手部材の内部には上下方向に延びる逆流防止リブが設けられ、
前記下部継手部材の上端部に前記上部継手部材の下端部が接続された状態で、前記逆流防止リブの下端は、前記下部継手部材の上端部よりも上側にあることを特徴とする排水管継手。
【手続補正書】
【提出日】令和3年9月6日(2021.9.6)
【手続補正１】
【補正対象書類名】明細書
【補正対象項目名】発明の名称
【補正方法】変更
【補正の内容】
【発明の名称】精紡機
【手続補正２】
【補正対象書類名】明細書
【補正対象項目名】０００１
【補正方法】変更
【補正の内容】
【０００１】
本発明は、精紡機に関する。
【手続補正３】
【補正対象書類名】明細書
【補正対象項目名】０００５
【補正方法】変更
【補正の内容】
【０００５】
本発明は、上記課題を解決するためになされたもので、その目的は、粗糸供給停止装置を自動的に復帰させることができると共に、小型化への対応が容易な精紡機を提供することにある。
【手続補正４】
【補正対象書類名】明細書
【補正対象項目名】００１３
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
粗糸を引き伸ばすドラフト装置と、前記ドラフト装置に対する粗糸の供給を停止する粗糸供給停止装置とをそれぞれ備える複数の錘を具備し、前記粗糸供給停止装置は、機台長手方向に複数配列されると共に、前記ドラフト装置に対して粗糸の供給を許容する第１の位置と、前記ドラフト装置に対して粗糸の供給を停止する第２の位置とに切り替え可能に構成された粗糸供給停止部材と、前記粗糸供給停止部材を前記第２の位置へ付勢する付勢部材と、前記付勢部材の付勢力に抗して前記粗糸供給停止部材を前記第１の位置に保持する保持部材とを備えた精紡機において、
前記機台長手方向に延在すると共に、前記機台長手方向に移動可能に設けられた移動部材と、
前記移動部材を前記機台長手方向に移動させる駆動部と、
前記移動部材に設けられるとともに、前記駆動部によって前記移動部材を前記機台長手方向に移動させた場合に前記移動部材と共に移動する復帰部材と、
を有する復帰機構を備え、
前記復帰機構は、前記駆動部によって前記移動部材と共に前記復帰部材を前記機台長手方向に移動させ、前記第２の位置にある２つ以上の前記粗糸供給停止部材に前記復帰部材を係合させることにより、前記２つ以上の前記粗糸供給停止部材を前記付勢部材の付勢力に抗して前記第２の位置から前記第１の位置へと復帰させる
ことを特徴とする精紡機。
【請求項２】
前記復帰部材は、前記機台長手方向に対して傾斜し、前記第２の位置にある前記粗糸供給停止部材に係合可能な傾斜部を有する
請求項１に記載の精紡機。
【請求項３】
前記復帰部材は、前記第２の位置にある前記粗糸供給停止部材に係合可能な第１ローラによって構成されている
請求項１に記載の精紡機。
【請求項４】
前記粗糸供給停止装置は、前記傾斜部が係合する部分に設けられた第２ローラを有する
請求項２に記載の精紡機。
【請求項５】
前記復帰部材は、全錘の個数をＭ個とした場合に、前記Ｍ個よりも少ないＮ個（Ｎは２以上の整数）の前記粗糸供給停止装置ごとに１個ずつ設けられている
請求項１〜４のいずれか一項に記載の精紡機。
【請求項６】
前記移動部材は、前記機台長手方向に往復移動可能なバーによって構成されている
請求項１〜５のいずれか一項に記載の精紡機。
【請求項７】
前記バーは、前記機台長手方向で互いに連結された複数の連結バーによって構成され、
前記機台長手方向で隣り合う前記連結バーの連結部には、前記バーを往復移動させる際の移動方向の違いにより前記連結バーの間隔を変化させるバー間隔可変機構が設けられている
請求項６に記載の精紡機。
【手続補正書】
【提出日】令和3年2月22日(2021.2.22)
【手続補正１】
【補正対象書類名】明細書
【補正対象項目名】発明の名称
【補正方法】変更
【補正の内容】
【発明の名称】時計
【手続補正２】
【補正対象書類名】明細書
【補正対象項目名】０００１
【補正方法】変更
【補正の内容】
【０００１】
本発明は、時計に関するものである。
【手続補正３】
【補正対象書類名】明細書
【補正対象項目名】０００８
【補正方法】変更
【補正の内容】
【０００８】
本発明は以上のような事情に鑑みてなされたものであり、効率よく発電を行うことができるとともに、美しい外観を実現することのできる時計を提供することを目的とするものである。
【手続補正４】
【補正対象書類名】明細書
【補正対象項目名】０００９
【補正方法】変更
【補正の内容】
【０００９】
前記課題を解決するために、本発明に係る時計は、
開口部が形成された文字板と、
ソーラーセルと、
を備え、
平面視して前記開口部内にのみ前記ソーラーセルが設けられていることを特徴とする。
【手続補正５】
【補正対象書類名】特許請求の範囲
【補正対象項目名】全文
【補正方法】変更
【補正の内容】
【特許請求の範囲】
【請求項１】
開口部が形成された文字板と、
ソーラーセルと、
を備え、
平面視して前記開口部内にのみ前記ソーラーセルが設けられていることを特徴とする時計。
【請求項２】
前記ソーラーセルを複数含むソーラーパネルを備え、
前記ソーラーセルは、複数の発電領域を備え、
前記ソーラーパネルには、複数の前記ソーラーセルの対応する各前記発電領域が隣接して配置された発電機能部を複数含み、
前記ソーラーパネルの前記発電機能部は、前記開口部から露出することを特徴とする請求項１に記載の時計。
【請求項３】
前記ソーラーセルは、前記複数の発電領域を接続する接続領域を備え、
前記接続領域は、前記発電領域よりも狭く形成されていることを特徴とする請求項２に記載の時計。
【請求項４】
前記文字板の前記開口部は、光の透過率が閾値以上の高透過領域であり、
前記高透過領域は、前記文字板の一部を切り欠くことで形成されたことを特徴とする請求項１から請求項３のいずれか一項に記載の時計。
【請求項５】
前記文字板は、光を透過しない材料で形成されていることを特徴とする請求項１から請求項４のいずれか一項に記載の時計。
【請求項６】
前記文字板には、前記ソーラーパネルの位置決め及び固定を行う位置決め固定部が設けられており、
前記ソーラーパネルは、前記位置決め固定部により前記文字板に位置決め固定されることを特徴とする請求項２又は請求項３に記載の時計。
【請求項７】
前記文字板の下側に配置されたモジュールを備え、
前記ソーラーパネルと前記モジュールとの間には、前記モジュールの周縁部に沿うリング状の日車が配置されており、
前記ソーラーパネルは、前記モジュールの外周部に少なくとも３点で固定支持されることを特徴とする請求項２、請求項３、請求項６のいずれか一項に記載の時計。
【請求項８】
前記ソーラーパネルの上方で運針される指針を備え、
前記指針は、スリープ時に前記発電機能部と重ならない位置で停止することを特徴とする請求項２、請求項３、請求項６のいずれか一項に記載の時計。
【手続補正書】
【提出日】令和3年10月18日(2021.10.18)
【手続補正１】
【補正対象書類名】特許請求の範囲
【補正対象項目名】全文
【補正方法】変更
【補正の内容】
【特許請求の範囲】
【請求項１】
入射した放射線を光に変換する第１のシンチレータと、前記第１のシンチレータからの前記光を電気信号に変換する第１の光電変換部を備える第１のセンサ基板と、を含む第１の放射線パネルと、
前記第１の放射線パネルを介して入射した前記放射線を光に変換する第２のシンチレータと、前記第２のシンチレータからの前記光を電気信号に変換する第２の光電変換部を備える第２のセンサ基板と、を含む第２の放射線パネルと、
を有し、
前記第１のセンサ基板は、前記第１の光電変換部を含む基板中央領域の厚みをｔ１とし、前記第１の光電変換部を含まない基板周辺領域の厚みをｔ２とするとき、ｔ１＜ｔ２となる凹部を有する基板であり、
前記第２のシンチレータは、前記凹部に、少なくとも一部の領域が収容されていることを特徴とする放射線検出装置。
【請求項２】
前記第２のシンチレータの厚みをｔ３とするとき、ｔ２−ｔ１＞ｔ３であることを特徴とする請求項１に記載の放射線検出装置。
【請求項３】
前記第２のシンチレータは、前記凹部に、前記第１のセンサ基板の厚み方向において一部の領域が収容されていることを特徴とする請求項１または２に記載の放射線検出装置。
【請求項４】
前記第２のシンチレータは、前記凹部に、前記第１のセンサ基板の厚み方向において全部の領域が収容されていることを特徴とする請求項１または２に記載の放射線検出装置。
【請求項５】
前記凹部は、前記第２のシンチレータとの間の隙間が樹脂で充填されていることを特徴とする請求項１乃至４のいずれか１項に記載の放射線検出装置。
【請求項６】
前記第２のセンサ基板は、前記第２の光電変換部を含む基板中央領域の厚みをｔ４とし、前記第２の光電変換部を含まない基板周辺領域の厚みをｔ５とするとき、ｔ４＜ｔ５となる凹部を有する基板であり、
前記第２のセンサ基板の当該凹部に、前記放射線に基づく散乱線の発生を防止する散乱線防止部材を更に有することを特徴とする請求項１乃至５のいずれか１項に記載の放射線検出装置。
【請求項７】
前記第１のシンチレータは、前記第１の光電変換部において前記放射線が入射する側に配置されており、
前記第２のシンチレータは、前記第２の光電変換部において前記放射線が入射する側に配置されていることを特徴とする請求項１乃至６のいずれか１項に記載の放射線検出装置。
【請求項８】
前記第１のシンチレータおよび前記第２のシンチレータは、柱状結晶を有する蛍光体であってヨウ化セシウムを含む蛍光体であることを特徴とする請求項１乃至７のいずれか１項に記載の放射線検出装置。
【請求項９】
入射した放射線を光に変換する第１のシンチレータおよび第２のシンチレータを有し、
前記第２のシンチレータの少なくとも一部は、前記第１のシンチレータが設けられた基板の面とは反対側の面における前記基板の凹部に設けられることを特徴とする放射線検出装置。
【請求項１０】
請求項１乃至９のいずれか１項に記載の放射線検出装置と、
前記放射線を発生させる放射線発生装置と、
前記第１のシンチレータからの前記光を電気信号に変換する第１の光電変換部で得られた電気信号と前記第２のシンチレータからの前記光を電気信号に変換する第２の光電変換部で得られた電気信号とを用いて、前記放射線に係る画像を生成する画像生成装置と、
を有することを特徴とする放射線撮影システム。
【請求項１１】
前記画像は、エネルギーサブトラクション画像であること特徴とする請求項１０に記載の放射線撮影システム。
【手続補正２】
【補正対象書類名】明細書
【補正対象項目名】０００７
【補正方法】変更
【補正の内容】
【０００７】
本発明の放射線検出装置は、入射した放射線を光に変換する第１のシンチレータと、前記第１のシンチレータからの前記光を電気信号に変換する第１の光電変換部を備える第１のセンサ基板と、を含む第１の放射線パネルと、前記第１の放射線パネルを介して入射した前記放射線を光に変換する第２のシンチレータと、前記第２のシンチレータからの前記光を電気信号に変換する第２の光電変換部を備える第２のセンサ基板と、を含む第２の放射線パネルと、を有し、前記第１のセンサ基板は、前記第１の光電変換部を含む基板中央領域の厚みをｔ１とし、前記第１の光電変換部を含まない基板周辺領域の厚みをｔ２とするとき、ｔ１＜ｔ２となる凹部を有する基板であり、前記第２のシンチレータは、前記凹部に、少なくとも一部の領域が収容されている。
本発明の放射線検出装置における他の態様は、入射した放射線を光に変換する第１のシンチレータおよび第２のシンチレータを有し、前記第２のシンチレータの少なくとも一部は、前記第１のシンチレータが設けられた基板の面とは反対側の面における前記基板の凹部に設けられる。
また、本発明は、上述した放射線検出装置を含み構成された放射線撮影システムを含む。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
Ｄｙｎｅ−ｐｅｎにより測定した、ＡＢＳ樹脂、ＰＣＴ樹脂、及び、下記一般式（１）で示される構造を構成単位とする樹脂からなる群から選択される少なくとも１種を含む樹脂容器の表面のぬれ張力が３２〜１００ｍＮ／ｍとなり、
食器又は調理器具であり、
自動食器洗浄機を用いて洗浄されることを特徴とする樹脂容器。
【化１】
2020204046.tif 000001
（ｘは１以上の整数であり、ｙは１以上の整数である。）
【請求項２】
ＰＣＴ樹脂及び／又は前記一般式（１）で示される構造を構成単位とする樹脂を含むことを特徴とする請求項１に記載の樹脂容器。
【請求項３】
前記表面のぬれ張力が４５〜７５ｍＮ／ｍとなることを特徴とする請求項１又は２に記載の樹脂容器。